(57)【要約】【課題】低負荷発電から高負荷発電に移行する際に出力が低下するのを防止できる燃料電池システムおよび燃料電池システムのパージ制御方法を提供する。【解決手段】低負荷時に（Ｓ１、Ｎｏ）、窒素濃度が第１の濃度以上の場合（Ｓ３、Ｙｅｓ）、加速パージ要求フラグを「１」に設定しておき（Ｓ４）、その後、高出力要求がされたときに（Ｓ１、Ｙｅｓ）、加速パージ要求フラグが「１」である場合には、窒素濃度と要求負荷に基づいてパージ量を設定して（Ｓ８）、加速パージを実行する（Ｓ１０）。加速パージ実行後、加速パージ要求フラグを「０」に設定する（Ｓ９）。【選択図】図２
2013232407.tif 000002
【特許請求の範囲】
【請求項１】
カソードガス供給手段によりカソード流路にカソードガスが、アノードガス供給手段によりアノード流路にアノードガスがそれぞれ供給されて発電する燃料電池と、
前記アノード流路を含み、前記燃料電池から排出されたアノードガスと前記アノードガス供給手段により供給されたアノードガスとを混合して再び前記燃料電池に供給するアノード循環流路と、
前記アノード循環流路内のアノードガスおよび不純物を外部に排出するパージ装置と、
前記燃料電池の発電開始後、前記燃料電池の作動状態に応じて前記パージ装置を作動させることにより、前記アノード循環流路内のアノードガスおよび不純物を排出するパージ制御手段と、を備える燃料電池システムにおいて、
前記燃料電池への要求負荷を算出する要求負荷算出手段と、
前記アノード循環流路に存在する窒素濃度を算出する窒素濃度算出手段と、を備え、
前記パージ制御手段は、
前記要求負荷算出手段により算出される前記燃料電池への要求負荷が予め定められる所定値未満の場合、前記窒素濃度算出手段により算出される窒素濃度が予め定められる第１の濃度以上になったとき、その状態を第１状態として記憶し、
その後、前記要求負荷算出手段により算出される前記燃料電池への要求負荷が前記所定値以上の場合、かつ、前記第１状態が記憶されている場合には、前記パージ装置を作動させて前記窒素濃度算出手段により算出される窒素濃度と、前記要求負荷算出手段により算出される前記燃料電池への要求負荷と、によって予め定められるパージ量のアノードガスおよび不純物を排出する加速パージ制御を行い、前記加速パージ制御を行ったときに、前記第１状態の記憶を解除する制御を行うことを特徴とする燃料電池システム。
【請求項２】
前記パージ制御手段は、
前記加速パージ制御とは別に、
予め定められる所定のタイミングにおいて前記パージ装置を作動させてパージを行う定期パージ制御を行い、
前記定期パージ制御は、前記窒素濃度算出手段により算出される窒素濃度が高ければ高いほど、前記パージ量が多くなるように予め定められているパージ量のアノードガスおよび不純物を排出することを特徴とする請求項１に記載の燃料電池システム。
【請求項３】
カソードガス供給手段によりカソード流路にカソードガスが、アノードガス供給手段によりアノード流路にアノードガスがそれぞれ供給されて発電する燃料電池と、
前記アノード流路を含み、前記燃料電池から排出されたアノードガスと前記アノードガス供給手段により供給されたアノードガスとを混合して再び前記燃料電池に供給するアノード循環流路と、
前記アノード循環流路内のアノードガスおよび不純物を外部に排出するパージ装置と、
前記燃料電池の発電開始後、前記燃料電池の作動状態に応じて前記パージ装置を作動させることにより、前記アノード循環流路内のアノードガスおよび不純物を排出するパージ制御手段と、を備える燃料電池システムにおいて、
前記パージ制御手段は、
第１要求負荷に基づいて、前記パージ装置によりパージを実行するパージ時間および前記パージ装置の作動インターバルをそれぞれ第１パージ時間および第１作動インターバルとして設定し、
前記第１要求負荷よりも大きい第２要求負荷に基づいて、前記パージ装置によりパージを実行するパージ時間および前記パージ装置の作動インターバルをそれぞれ第２パージ時間および第２作動インターバルとして設定し、
前記第１作動インターバル中であって、所定条件の成立時に、前記第１要求負荷よりも大きい前記第２要求負荷が要求された場合には、前記第１パージ時間よりも短く且つ前記第２パージ時間よりも長い第３パージ時間によるパージを実行し、前記第３パージ時間によるパージを実行後に前記第２作動インターバルによる前記パージ装置の作動を開始することを特徴とする燃料電池システム。
【請求項４】
前記パージ制御手段は、前記パージ装置によるパージ停止後の前記燃料電池からの積算電流値が所定値以上である場合、前記所定条件が成立したと判定することを特徴とする請求項３に記載の燃料電池システム。
【請求項５】
前記パージ制御手段は、前記アノード循環流路内の前記不純物としての窒素濃度が所定濃度以上である場合、前記所定条件が成立したと判定することを特徴とする請求項３に記載の燃料電池システム。
【請求項６】
燃料電池の発電開始後、前記燃料電池の作動状態に応じてパージ装置を作動させることにより、アノード循環流路内のアノードガスおよび不純物を排出するパージ制御を行う燃料電池システムのパージ制御方法において、
前記燃料電池への要求負荷が予め定められる所定値未満の場合、前記アノード循環流路に存在する前記不純物に含まれる窒素濃度が予め定められる第１の濃度以上になったとき、その状態を第１状態として記憶する第１ステップと、
前記第１ステップの後、前記燃料電池への要求負荷が前記所定値以上の場合、かつ、前記第１状態が記憶されている場合には、前記パージ装置を作動させて前記窒素濃度と前記要求負荷とによって予め定められるパージ量のアノードガスを排出する加速パージ制御を実行する第２ステップと、
前記加速パージ制御を実行したときに、前記第１状態の記憶を解除する第３ステップと、を含むことを特徴とする燃料電池システムのパージ制御方法。
【請求項７】
予め定められる所定のタイミングにおいて前記パージ装置を作動させてパージを行う定期パージ制御を実行する第４ステップを含み、
前記定期パージ制御は、前記窒素濃度が高ければ高いほど、前記パージ量が多くなるように予め定められているパージ量のアノードガスを排出することを特徴とする請求項６に記載の燃料電池システムのパージ制御方法。
【発明の詳細な説明】
【技術分野】
【０００１】
本発明は、アノード循環流路を効率的にパージできる燃料電池システムおよび燃料電池システムのパージ制御方法に関する。
【背景技術】
【０００２】
アノード循環流路を備えた燃料電池システムでは、燃料電池の発電中、燃料電池のカソードから電解質膜を介してアノードに不純物が透過し、アノード循環流路の不純物が増加することで発電性能が低下する。このため、燃料電池システムでは、アノード循環流路内の不純物を定期的に外部に排出する定期パージ制御が行われている。
【０００３】
特許文献１には、スタック内部の滞留水量が所定量以上であり、その滞留水がスタックの外部に排出されると予測される場合には、排出バルブを開弁して貯留装置内の生成水を排出する技術が記載されている。
【０００４】
特許文献２には、燃料電池の運転状態に基づいてアノード側の不純物濃度の増加速度を積分してアノード側の不純物濃度を算出し、算出されたアノード側の不純物濃度に基づいてパージ装置を制御するパージ制御手段を備えた燃料電池システムが記載されている。
【０００５】
特許文献３には、システムの要求電力を燃料電池の発電によって供給する通常発電モードと、燃料電池による発電を休止してシステムの要求電力を蓄電手段から供給する発電休止モードとを備え、アノード循環流路内の不純物量の目標管理値を可変に設定し、設定された目標管理値に基づいて不純物の排出量を最適に管理する燃料電池システムが記載されている。
【先行技術文献】
【特許文献】
【０００６】
【特許文献１】特開２００８−２１８２９４号公報
【特許文献２】特開２０１１−２１０３９２号公報
【特許文献３】特開２００９−３２６１７号公報
【発明の概要】
【発明が解決しようとする課題】
【０００７】
しかしながら、特許文献１ないし３のいずれにおいても、低負荷発電から高負荷発電に移行する際に、アノード側の窒素濃度が高いと高負荷発電時の出力が低下するという問題がある。
【０００８】
本発明は、前記従来の問題を解決するものであり、低負荷発電から高負荷発電に移行する際に出力が低下するのを防止できる燃料電池システムおよび燃料電池システムのパージ制御方法を提供することを課題とする。
【課題を解決するための手段】
【０００９】
本発明の燃料電池システムは、カソードガス供給手段によりカソード流路にカソードガスが、アノードガス供給手段によりアノード流路にアノードガスがそれぞれ供給されて発電する燃料電池と、前記アノード流路を含み、前記燃料電池から排出されたアノードガスと前記アノードガス供給手段により供給されたアノードガスとを混合して再び前記燃料電池に供給するアノード循環流路と、前記アノード循環流路内のアノードガスおよび不純物を外部に排出するパージ装置と、前記燃料電池の発電開始後、前記燃料電池の作動状態に応じて前記パージ装置を作動させることにより、前記アノード循環流路内のアノードガスおよび不純物を排出するパージ制御手段と、を備える燃料電池システムにおいて、前記燃料電池への要求負荷を算出する要求負荷算出手段と、前記アノード循環流路に存在する窒素濃度を算出する窒素濃度算出手段と、を備え、前記パージ制御手段は、前記要求負荷算出手段により算出される前記燃料電池への要求負荷が予め定められる所定値未満の場合、前記窒素濃度算出手段により算出される窒素濃度が予め定められる第１の濃度以上になったとき、その状態を第１状態として記憶し、その後、前記要求負荷算出手段により算出される前記燃料電池への要求負荷が前記所定値以上の場合、かつ、前記第１状態が記憶されている場合には、前記パージ装置を作動させて前記窒素濃度算出手段により算出される窒素濃度と、前記要求負荷算出手段により算出される前記燃料電池への要求負荷と、によって予め定められるパージ量のアノードガスおよび不純物を排出する加速パージ制御を行い、前記加速パージ制御を行ったときに、前記第１状態の記憶を解除する制御を行うことを特徴とする。
【００１０】
ところで、低負荷発電（低負荷連続発電）から高負荷発電に移行する際、アノード循環流路の窒素濃度が高いと高負荷到達時に燃料電池の出力が低くなる。そこで、本発明では、低負荷時（要求負荷が所定値未満の場合）に第１の濃度（高負荷時に設定される許容窒素濃度）を超えたことを記憶しておき、燃料電池に対する要求負荷が低負荷から高負荷に切り替えられた時に、パージ装置を直ちに作動させてアノード循環流路から窒素を排出するパージ処理を実行してアノード循環流路内の窒素濃度を下げることで、低負荷から高負荷への切り替え時の出力低下を抑制することが可能になる。
【００１１】
また、前記パージ制御手段は、前記加速パージ制御とは別に、予め定められる所定のタイミングにおいて前記パージ装置を作動させてパージを行う定期パージ制御を行い、前記定期パージ制御は、前記窒素濃度算出手段により算出される窒素濃度が高ければ高いほど、前記パージ量が多くなるように予め定められているパージ量のアノードガスおよび不純物を排出することを特徴とする。
【００１２】
これによれば、予め定められる所定のタイミングとして、燃料電池に対する要求負荷が低負荷の場合には、定期パージを開始する窒素濃度を高めに設定することで、パージインターバルを長く設定できるので、燃費向上を図ることができる。また、予め定められる所定のタイミングとして、燃料電池に対する要求負荷が高負荷の場合には、定期パージを開始する窒素濃度を低めに設定することで、窒素濃度の出力に対する影響を小さくすることができる。
【００１３】
また、カソードガス供給手段によりカソード流路にカソードガスが、アノードガス供給手段によりアノード流路にアノードガスがそれぞれ供給されて発電する燃料電池と、前記アノード流路を含み、前記燃料電池から排出されたアノードガスと前記アノードガス供給手段により供給されたアノードガスとを混合して再び前記燃料電池に供給するアノード循環流路と、前記アノード循環流路内のアノードガスおよび不純物を外部に排出するパージ装置と、前記燃料電池の発電開始後、前記燃料電池の作動状態に応じて前記パージ装置を作動させることにより、前記アノード循環流路内のアノードガスおよび不純物を排出するパージ制御手段と、を備える燃料電池システムにおいて、前記パージ制御手段は、第１要求負荷に基づいて、前記パージ装置によりパージを実行するパージ時間および前記パージ装置の作動インターバルをそれぞれ第１パージ時間および第１作動インターバルとして設定し、前記第１要求負荷よりも大きい第２要求負荷に基づいて、前記パージ装置によりパージを実行するパージ時間および前記パージ装置の作動インターバルをそれぞれ第２パージ時間および第２作動インターバルとして設定し、前記第１作動インターバル中であって、所定条件の成立時に、前記第１要求負荷よりも大きい前記第２要求負荷が要求された場合には、前記第１パージ時間よりも短く且つ前記第２パージ時間よりも長い第３パージ時間によるパージを実行し、前記第３パージ時間によるパージを実行後に前記第２作動インターバルによる前記パージ装置の作動を開始することを特徴とする。
【００１４】
これによれば、第１作動インターバルの経過中に所定条件が成立したときに、第１要求負荷よりも大きい第２要求負荷が要求された場合には、第１パージ時間よりも短く且つ第２パージ時間よりも長い第３パージ時間によるパージを実行し、第３パージ時間によるパージを実行後に第２作動インターバルによるパージ装置の作動を開始することで、第１要求負荷（低負荷）から第２要求負荷（高負荷）への切り替え時の出力低下を抑制することが可能になる。
【００１５】
また、前記パージ制御手段は、前記パージ装置によるパージ停止後の前記燃料電池からの積算電流値が所定値以上である場合、前記所定条件が成立したと判定することを特徴とする。
【００１６】
これによれば、第３パージ時間によるパージの要否を適切に判定できる。
【００１７】
また、前記パージ制御手段は、前記アノード循環流路内の窒素濃度が所定濃度以上である場合、前記所定条件が成立したと判定することを特徴とする。
【００１８】
これによれば、第３パージ時間によるパージの要否を適切に判定できる。
【００１９】
また、本発明の燃料電池システムのパージ制御方法は、燃料電池の発電開始後、前記燃料電池の作動状態に応じてパージ装置を作動させることにより、アノード循環流路内のアノードガスおよび不純物を排出するパージ制御を行う燃料電池システムのパージ制御方法において、前記燃料電池への要求負荷が予め定められる所定値未満の場合、前記アノード循環流路に存在する前記不純物に含まれる窒素濃度が予め定められる第１の濃度以上になったとき、その状態を第１状態として記憶する第１ステップと、前記第１ステップの後、前記燃料電池への要求負荷が前記所定値以上の場合、かつ、前記第１状態が記憶されている場合には、前記パージ装置を作動させて前記窒素濃度と前記要求負荷とによって予め定められるパージ量のアノードガスを排出する加速パージ制御を実行する第２ステップと、前記加速パージ制御を実行したときに、前記第１状態の記憶を解除する第３ステップと、を含むことを特徴とする。
【００２０】
これによれば、低負荷時（要求負荷が所定値未満）に第１の濃度を超えたことを記憶しておき、燃料電池に対する要求負荷の低負荷から高負荷への切り替え時に、パージ装置を作動させてアノード循環流路から窒素を排出するパージ処理を実行してアノード循環流路内の窒素濃度を下げることで、切り替え時の出力低下を抑制することが可能になる。
【００２１】
また、予め定められる所定のタイミングにおいて前記パージ装置を作動させてパージを行う定期パージ制御を実行する第４ステップを含み、前記定期パージ制御は、前記窒素濃度が高ければ高いほど、前記パージ量が多くなるように予め定められているパージ量のアノードガスを排出することを特徴とする。
【００２２】
これによれば、予め定められる所定のタイミングとして、燃料電池に対する要求負荷が低負荷の場合には、定期パージを開始する窒素濃度を高めに設定することで、パージインターバルを長くまたはパージ量を少なく設定できるので、燃費向上を図ることができる。また、予め定められる所定のタイミングとして、燃料電池に対する要求負荷が高負荷の場合には、定期パージを開始する窒素濃度を低めに設定することで、窒素濃度の出力に対する影響を小さくすることができる。
【発明の効果】
【００２３】
本発明によれば、低負荷発電から高負荷発電に移行する際に出力が低下するのを防止できる。
【図面の簡単な説明】
【００２４】
【図１】本実施形態に係る燃料電池システムを示す全体構成図である。
【図２】本実施形態に係る燃料電池システムの動作を示すフローチャートである。
【図３】パージ実施後からの経過時間と窒素濃度との関係を示すグラフである。
【図４】窒素濃度と出力との関係を示すグラフである。
【図５】発電電流と許容窒素濃度との関係を示すグラフである。
【図６】窒素濃度とパージ量との関係を示すマップである。
【図７】（ａ）は低負荷の定期パージ時の窒素濃度の推移を示すタイムチャート、（ｂ）は本実施形態に係る加速パージありの窒素濃度の推移を示すタイムチャート、（ｃ）は比較例に係る加速パージなしの窒素濃度の推移を示すタイムチャートである。
【発明を実施するための形態】
【００２５】
本実施形態について、適宜図面を参照しながら詳細に説明する。なお、以下では、燃料電池システム１を搭載した燃料電池車を例に挙げて説明するが、必ずしも燃料電池車に限定されるものではなく、燃料電池システムを搭載した船舶や航空機などに適用してもよく、家庭用や業務用などの定置式の燃料電池システムに適用してもよい。
【００２６】
図１に示すように、燃料電池システム１は、燃料電池１０、カソード系２０、アノード系３０、電力消費系４０、制御系５０などを備えている。
【００２７】
燃料電池１０は、例えば、複数の固体高分子型の単セル（不図示）が積層されることで構成された燃料電池スタックであり、複数の単セルが電気的に直列に接続されて構成されている。単セルは、ＭＥＡ（Membrane Electrode Assembly：膜電極接合体）と、このＭＥＡを挟む導電性を有するカソードセパレータ（不図示）およびアノードセパレータ（不図示）と、を備えている。
【００２８】
ＭＥＡは、例えば、１価の陽イオン交換膜（例えばパーフルオロスルホン酸型）からなる電解質膜（固体高分子膜）と、これを挟むアノードおよびカソードとを備えている。アノードおよびカソードは、カーボンペーパ等の導電性を有する多孔質体から主に構成されるとともに、アノードおよびカソードにおける電極反応を生じさせるための触媒（Ｐｔ、Ｒｕ等）を含んでいる。
【００２９】
カソードセパレータには、各ＭＥＡのカソードに対して酸化剤としての空気（カソードガス）を給排するための溝などで形成されたカソード流路１０ａが形成されている。アノードセパレータには、各ＭＥＡのアノードに対して燃料ガスとしての水素（アノードガス）を給排するための溝などで形成されたアノード流路１０ｂが形成されている。
【００３０】
そして、カソード流路１０ａを介して各カソードに空気（酸素）が供給されるとともに、アノード流路１０ｂを介して各アノードに水素が供給されると、各単セルで電位差（ＯＣＶ（Open Circuit Voltage）、開回路電圧）が発生するようになっている。次いで、燃料電池１０と走行モータ４１、高圧バッテリ４２などの外部負荷とが電気的に接続され、電流が取り出されると、燃料電池１０が発電するようになっている。
【００３１】
カソード系２０は、エアコンプレッサ２１（酸化剤ガス供給手段）、希釈器２２、開閉弁２３，２４、配管ｃ１〜ｃ２、バイパス配管ｃ３、アシスト配管ｃ４などで構成されている。
【００３２】
なお、配管ｃ１は、一端がエアコンプレッサ２１に接続され、他端がカソード流路１０ａの入口と接続されている。
【００３３】
また、配管ｃ２は、一端がカソード流路１０ａの出口に接続され、他端が希釈器２２を貫通して車外（系外）と連通している。また、希釈器２２内に位置する配管ｃ２には、水素などを吸い込む孔（不図示）が形成され、配管ｃ２内の空気オフガス（カソードオフガス）の流れによって希釈器２２内の水素などを吸い込むようになっている。
【００３４】
エアコンプレッサ２１は、例えばモータで駆動される電動式のものであり、圧縮した外気（空気）を、燃料電池１０のカソード流路１０ａに向けて供給する。
【００３５】
希釈器２２は、アノード流路１０ｂから排出された水素（アノードガス）をカソード流路１０ａから排出された空気オフガスによって所定の濃度に希釈する機能を有している。なお、希釈器２２内の水素は、希釈器２２内に形成された図示しない蛇行路を通って前記孔（不図示）から吸い込まれ、空気オフガスとともに配管ｃ２を介して大気中（車外）に排出されるようになっている。
【００３６】
バイパス配管ｃ３は、一端が配管ｃ１に接続され、他端がカソード流路１０ａの出口と希釈器２２との間の配管ｃ２に接続され、エアコンプレッサ２１からの空気が、燃料電池１０をバイパスする流路を構成している。
【００３７】
アシスト配管ｃ４は、一端がエアコンプレッサ２１と配管ｃ３との間の配管ｃ１に接続され、他端が希釈器２２と接続され、希釈器２２内に空気を導入して、この空気と水素とを混合して希釈しつつ、前記孔（不図示）を介して水素を押し出すようにして空気オフガスと合流させる機能を有している。
【００３８】
開閉弁２３は、バイパス配管ｃ３上に設けられ、常閉型で電磁作動式のもので構成されている。
【００３９】
開閉弁２４は、アシスト配管ｃ４上に設けられ、常閉型で電磁作動式のもので構成されている。
【００４０】
なお、図示していないが、カソード系２０は、例えば、エアコンプレッサ２１から供給された空気を加湿する加湿器、カソード流路１０ａの圧力（カソード圧力）を制御する背圧制御弁などを備えている。
【００４１】
加湿器は、例えば、配管ｃ３とカソード流路１０ａとの間の配管ｃ１と配管ｃ２とに跨るように配置され、ケース内に収容された中空糸膜束の各中空糸膜の内側と外側の一方にエアコンプレッサ２１からの加湿前の空気を通流させ、他方に湿潤な空気オフガスを流通させることで、加湿前の空気と空気オフガスとの間で水分交換を行い、加湿前の空気を空気オフガスで加湿するようになっている。
【００４２】
背圧制御弁は、例えば、常開式で開度調整可能なバタフライ弁で構成されるとともに、カソード流路１０ａと希釈器２２との間の配管ｃ２に配置され、燃料電池車を加速させる場合には、開度を閉じる側に調整して、カソード圧力を高めるようになっている。
【００４３】
アノード系３０は、水素タンク３１（アノードガス供給手段）、遮断弁３２、エゼクタ３３、気液分離器３４、パージ弁３５、ドレイン弁３６、配管ａ１〜ａ９などで構成されている。
【００４４】
アノード系３０では、水素タンク３１が、配管ａ１、遮断弁３２、配管ａ２、エゼクタ３３、配管ａ３を介してアノード流路１０ｂの入口と接続されている。アノード流路１０ｂの出口は、配管ａ４、気液分離器３４、配管ａ５を介してエゼクタ３３と接続されている。また、配管ａ５には、配管ａ６が分岐して接続され、配管ａ６がパージ弁３５、配管ａ７を介して希釈器２２と接続されている。また、気液分離器３４は、配管ａ８、ドレイン弁３６、配管ａ９を介して配管ａ７と接続されている。
【００４５】
水素タンク３１は、高純度の水素が３５ＭＰａや７０ＭＰａなどの非常に高い圧力で充填された容器である。
【００４６】
遮断弁３２は、例えば常閉型で電磁作動式のもので構成され、開弁されることにより、水素タンク３１内の水素が燃料電池１０に向けて供給されるようになっている。
【００４７】
エゼクタ３３は、水素タンク３１からの水素の流れを利用して負圧を発生させ、配管ａ４，ａ５を介してアノード流路１０ｂの出口から排出された未反応の水素（アノードオフガス）を吸引して、再びアノード流路１０ｂに戻す機能を有している。なお、エゼクタ３３に替えて、モータで駆動可能な水素循環用のポンプなどを配管ａ５などに設けるようにしてもよい。
【００４８】
気液分離器３４は、アノード流路１０ｂから排出されたアノードオフガスに含まれる水（気体、水蒸気）と水素とを分離して、分離した水（液体）を貯留するとともに、アノードガスに同伴する水分（液体）を貯留する機能を有している。
【００４９】
パージ弁３５は、例えば常閉型で電磁作動式のもので構成され、制御部５１からの指令にしたがって例えば定期的に開弁されて、アノード循環流路（アノード流路１０ｂ、配管ａ３〜ａ４）に蓄積した不純物を、希釈器２２を介して車外に排出する機能を有している。なお、不純物とは、カソードから電解質膜を介してアノードに透過した空気に含まれる窒素、同様にカソードから電解質膜をアノードに透過した生成水などである。
【００５０】
ドレイン弁３６は、例えば常閉型で電磁作動式のもので構成され、制御部５１からの指令にしたがって開弁されて、気液分離器３４に貯留された生成水を希釈器２２に排出する。なお、希釈器２２内の配管ｃ２には、図示しない孔とともに、水抜き孔（不図示）が形成されており、この水抜き孔から生成水が吸い込まれて車外に排出されるようになっている。
【００５１】
なお、図示省略しているが、遮断弁３２とエゼクタ３３との間には、水素タンク３１から供給された水素圧（一次圧）を所定の二次圧に減圧する減圧弁を備えている。なお、減圧弁は、制御部５１からの電気的な信号によって二次側圧力をカソード圧によることなく調整するものであってもよく、またはカソード圧をパイロット圧として入力し、カソード圧に応じてアノード側の二次圧を調整するものであってもよい。また、複数の減圧弁を設けて、複数段にわけて減圧する構成であってもよい。
【００５２】
電力消費系４０は、走行モータ４１、高圧バッテリ４２、各種補機（エアコンプレッサ２１を含む）などの外部負荷に電力を供給するものである。なお、図示していないが、電力消費系４０は、燃料電池１０と外部負荷との間に電力制御器（不図示）を備えている。この電力制御器は、制御部５１からの発電指令に基づいて燃料電池１０から取り出す電力（発電電流）を制御して、走行モータ４１や高圧バッテリ４２などの外部負荷に供給する電力分配機能を有している。
【００５３】
走行モータ４１は、永久磁石式の３相交流同期モータなどで構成され、直流電流を交流電流に変換するインバータ回路（不図示）を介して、燃料電池車に設けられた駆動輪を回転駆動させるものである。
【００５４】
高圧バッテリ４２は、例えば走行モータ４１に電力を供給したり、走行モータ４１を発電機として利用して制動時の回生エネルギを蓄電する機能を有し、ニッケル水素バッテリ、リチウムイオンバッテリ、キャパシタなどで構成されている。
【００５５】
また、高圧バッテリ４２は、ＳＯＣ（State Of Charge：残容量、充電量）を検出する残容量センサ４３を備え、この残容量を制御部５１に出力するようになっている。なお、残容量センサ４３は、例えば電流計、電圧計および温度計で構成され、電圧計から電圧値、電流計から電流値、温度計から温度を取得することにより、高圧バッテリ４２のＳＯＣを算出するようになっている。なお、ＳＯＣは、電圧と電流のみから算出してもよく、電圧のみから算出してもよい。
【００５６】
制御系５０は、制御部５１、電圧センサ５２、電流センサ５３、アクセル５４、ナビゲーション装置５５などで構成されている。
【００５７】
電圧センサ５２は、燃料電池１０の出力する電圧値（全ての単セルの電圧の合計値）ＶＦＣを検出し、その検出値を制御部５１に出力する。
【００５８】
電流センサ５３は、燃料電池１０から取り出される電流値ＩＦＣを検出し、その検出値を制御部５１に出力する。なお、電流値ＩＦＣは、燃料電池の要求負荷に相当する。
【００５９】
アクセル５４は、運転者が燃料電池車を走行させるために踏み込むペダルであり、その開度（踏み込み量）を制御部５１に出力するように構成されている。例えば、制御部５１は、アクセル５４のペダルの開度（要求ＩＦＣ）が閾値より大きいときに、加速したことを高出力要求後直ちに判定することができる。また、アクセル５４のペダルの開度増加量（ＩＦＣ増加量）が閾値より大きいときにも、加速判定を高出力要求後直ちに判定できる。
【００６０】
ナビゲーション装置５５は、自車の速度（図示しない車速センサによる）と路面状況のマップ（地図）などを制御部５１に出力する。これにより、制御部５１は、その後の要求ＩＦＣ（要求負荷）を予想して、高負荷発電に移行するか否かを事前に判定することができる。例えば、ナビゲーション装置５５によって、車両がその後、上り坂を走行することなどを事前に予想することで、高負荷発電に移行することを前もって予想することができる。
【００６１】
制御部５１は、ＣＰＵ（Central Processing Unit）、ＲＯＭ（Read Only Memory）、ＲＡＭ（Random Access Memory）、各種インタフェイス、電子回路などを含んで構成され、要求負荷算出手段と、窒素濃度算出手段と、パージ制御手段とを備えている。
【００６２】
また、制御部５１は、エアコンプレッサ２１の回転速度、開閉弁２３，２４、遮断弁３２、パージ弁３５、ドレイン弁３６の各開閉動作、背圧制御弁（不図示）の開度、減圧弁（不図示）の二次圧をそれぞれ制御する。
【００６３】
次に、本実施形態に係る燃料電池システムの動作について図２ないし図７を参照して説明する。まず、燃料電池車のイグニッション（ＩＧ）がオンされると、エアコンプレッサ２１からカソード流路１０ａに加湿された圧縮空気が供給され、また遮断弁３２が開弁されて水素タンク３１から所定圧に減圧された水素がアノード流路１０ｂに供給される。これにより、燃料電池１０のＯＣＶ（開放端電圧）が上昇し、ＯＣＶが安定した発電が可能となる所定電圧まで上昇したときに、図示しないコンタクタが接続され、燃料電池１０と走行モータ４１などの外部負荷とが接続される。これにより、燃料電池１０の発電が開始される。燃料電池１０の発電電流は、エアコンプレッサ２１や走行モータ４１などに供給され、また必要に応じて高圧バッテリ４２に充電される。なお、燃料電池１０の起動時には、加速パージ要求フラグは「０」に設定されている。
【００６４】
図２に示すように、ステップＳ１において、制御部５１は、加速判定があったか否か、つまり高出力要求（高負荷要求）があったか否かを判定する。加速判定は、例えば、アクセル５４のペダルが踏み込まれて、燃料電池車を加速させる操作が行われたときに判定され、アクセル５４のペダルの開度に基づいて判定される。また、加速判定は、前記したように、アクセル５４のペダルの開度増加量に基づいて判定してもよい。これにより、加速判定を即時に判定することができる。
【００６５】
また、加速判定は、前記したように、自車の速度（図示しない車速センサによる）と路面状況のマップ（地図）などを制御部５１に出力することで、その後の要求ＩＦＣ（要求負荷）を予想して、高負荷発電に移行するか否かを事前に判定するようにしてもよい。
【００６６】
なお、高出力要求については、車両の加速判定に限定されるものではなく、残容量センサ４３によって高圧バッテリ４２の残容量を監視して、その後、高圧バッテリ４２に燃料電池１０から充電が行われることを予想して、高負荷発電に移行するか否かを事前に判定するようにしてもよい。
【００６７】
ステップＳ１において、制御部５１は、加速判定なしと判定された場合（Ｎｏ）、つまり低負荷要求である場合（要求負荷が所定値未満の場合）には、ステップＳ２に進み、アノード循環流路内の窒素濃度を算出する（窒素濃度算出手段）。このときの窒素濃度は、例えば、図３のマップに基づいて算出する。すなわち、図３に示すように、要求負荷（ＩＦＣ）の大きさに応じてパージ実施後からの経過時間に対する窒素濃度が異なり、ＩＦＣが大きい場合（符号Ａ）が、ＩＦＣが小さい場合（符号Ｂ）よりも、パージ実施後からの経過時間に対する窒素濃度が高くなる。また、窒素濃度は、時間が経過するにつれて高くなる。
【００６８】
また、図４に示すように、低負荷（第１要求負荷）の場合には、アノード循環流路内の窒素濃度が増加したとしても出力（ＩＦＣ）の低下幅は小さく（またはほとんどなく）、高負荷（第２要求負荷）の場合には、窒素濃度が増加することにより、出力（ＩＦＣ）の低下幅が大きくなる。
【００６９】
例えば、図５に示すように、要求負荷（ＩＦＣ）と許容窒素濃度との関係に基づいて、低負荷と高負荷を分けるようにしてもよい。すなわち、ＩＦＣがＩａを超える場合、ＩＦＣが増加するにつれて許容窒素濃度が低下するので、Ｉａを変曲点として、Ｉａ以下の場合のＩＦＣを低負荷とし、Ｉａを超える場合のＩＦＣを高負荷とすることができる。
【００７０】
なお、窒素濃度の算出については、要求負荷（ＩＦＣ）に加えて、圧力および／または温度を考慮して算出するようにしてもよい。すなわち、窒素は、空気中に含まれており、カソード流路１０ａからアノード流路１０ｂへとクロスリークするものである。よって、圧力については、カソード流路１０ａの圧力とアノード流路１０ｂの圧力との圧力差が高いほどクロスリーク量が多くなり、窒素濃度が高くなる傾向にある。また、温度については、燃料電池（もしくは反応ガス）の温度が高いほど、窒素濃度が高くなる傾向など、事前にクロスリークと温度依存性を実験等により把握しておくことができる。例えば、要求負荷から得られる窒素濃度について、圧力および／または温度に基づいて補正するようにしてもよい。
【００７１】
ステップＳ３において、制御部５１は、窒素濃度が第１の濃度以上（所定濃度以上）であるか否かを判定する。なお、第１の濃度とは、高負荷発電時に設定される許容窒素濃度の上限値である。低負荷発電時には、図４に示したように、窒素濃度が増加したとしても出力の低下幅は小さく、第２の濃度を高く設定することができ、これによりパージインターバルを長く設定することができる。パージインターバルとは、パージとパージとの間の間隔を意味している（図７（ａ）参照）。
【００７２】
ステップＳ３において、制御部５１は、窒素濃度が第１の濃度以上である（所定条件成立）と判定した場合には（Ｙｅｓ）、ステップＳ４に進み、加速パージ要求フラグを「１」に設定し（第１状態として記憶し）、ステップＳ７に進む。なお、加速パージ要求フラグが「１」であるとは、後記する低負荷発電から高負荷発電に移行する際に加速パージを実行することを意味している。加速パージとは、高負荷発電前または直後に後記する定期パージとは異なるパージ時間およびパージ機構でパージを行うことである。
【００７３】
また、ステップＳ３において、制御部５１は、窒素濃度が第１の濃度未満である（所定条件不成立）と判定した場合には（Ｎｏ）、ステップＳ５に進み、加速パージ要求フラグを「０」に設定し、ステップＳ７に進む。
【００７４】
ステップＳ７において、制御部５１は、定期パージを設定する。このように、ステップＳ１→Ｓ２→Ｓ３→Ｓ４→Ｓ７を通るときの定期パージは、低負荷の場合（Ｓ１、Ｎｏ）であるので、低負荷に対応した定期パージ（第１パージ時間、第１作動インターバル）を設定する。
【００７５】
ステップＳ７での低負荷に対応した定期パージは、窒素濃度と要求負荷に基づいてパージ量を設定する。なお、フローチャートでは図示省略しているが、窒素濃度については、ステップＳ２によって算出される値が用いられ、要求負荷については、ＩＦＣに基づいて算出される。すなわち、ステップＳ２で算出した窒素濃度と低負荷での許容窒素濃度とが比較され、算出した窒素濃度が、低負荷での許容窒素濃度未満である場合、パージ量をゼロに設定する。また、算出した窒素濃度が、低負荷での許容窒素濃度以上である場合には、要求負荷に対応したパージ量を設定する。また、要求負荷が高い場合には、窒素濃度が高くなるので、窒素濃度が高ければ高いほど、パージ量が多くなるように設定する。
【００７６】
なお、パージ量は、パージ弁３５の開弁時間（第１パージ時間）に対応し、現在の窒素濃度から所定の閾値（図７（ａ）参照）まで低下させることができる時間に設定される。また、所定の閾値は、０（ゼロ）に設定してもよく、またはゼロより大きく且つ後記する高負荷での許容窒素濃度よりも低い値に設定してもよい。
【００７７】
そして、ステップＳ１０において、制御部５１は、ステップＳ７で設定されたパージ量に基づいてパージ弁３５を制御する。パージ弁３５を開弁することにより、アノード循環流路に残留している窒素（不純物）が水素（アノードガス）とともに配管ａ６，ａ７を介して希釈器２２に排出される。希釈器２２内では、水素が拡散され、希釈器２２内の配管ｃ２に形成された孔から少量ずつ吸い込まれることで、配管ｃ２内を流れる空気オフガスによって水素が希釈され、系外（車外）に排出される。なお、図示していないが、希釈器２２の出口側の配管ｃ２には、水素の濃度を検出する水素濃度センサが設けられ、系外に排出される水素濃度を監視し、規定値を超える濃度の水素が排出されないようになっている。
【００７８】
また、ステップＳ１において、制御部５１は、加速判定ありの場合には（Ｙｅｓ）、ステップＳ６に進み、加速パージ要求フラグが「１」であるか否かを判定する。
【００７９】
ステップＳ６において、制御部５１は、加速パージ要求フラグが「１」であると判定した場合には、ステップＳ８に進み、加速パージ要求フラグが「１」でないと判定した場合には、ステップＳ７に進む。
【００８０】
ステップＳ８において、制御部５１は、加速パージを設定する。すなわち、加速パージでは、窒素濃度と要求負荷に基づいてパージ量を設定するものであり、図６に示すマップに基づいて、窒素濃度が高くなるにつれてパージ量が多くなるように設定する。なお、図６のマップは、事前の試験等によって求められる。
【００８１】
図６に示すように、窒素濃度に対するパージ量は、要求負荷（ＩＦＣ）が大きい場合（符号Ｃ）が、要求負荷（ＩＦＣ）が小さい場合（符号Ｄ）よりも、窒素濃度に対するパージ量を多く設定する。このように、要求負荷（ＩＦＣ）ごとに窒素濃度に対するパージ量は異なる。
【００８２】
そして、ステップＳ９に進み、制御部５１は、加速パージ要求フラグを「１」から「０」に設定する（第１状態を解除する）。
【００８３】
そして、ステップＳ１０に進み、制御部５１は、ステップＳ８で設定されたパージ量に対してパージ弁３５を制御する。これにより、アノード循環流路に残留している窒素（不純物）が水素（アノードガス）とともに配管ａ６，ａ７を介して希釈器２２に排出される。希釈器２２内では、前記と同様にして水素が希釈された後に、系外（車外）に排出される。
【００８４】
なお、加速パージ時に、排出水素濃度（系外に排出される水素濃度）が所定水素濃度を超えると予想される場合には、パージ時のみまたは加速パージ要求フラグが「１」になったときから、空気を増量させる処理を追加してもよい。
【００８５】
空気を増量させる手段としては、エアコンプレッサ２１の回転速度を増加させることで増量してもよく、または開閉弁２３を開弁して燃料電池１０をバイパスする配管ｃ３に空気を流すこと（圧力損失を減らすこと）で増量してもよく、あるいは開閉弁２４を開弁して配管ｃ４を介して希釈器２２内に導入して希釈量を増量するようにしてもよい。
【００８６】
また、ステップＳ６において、制御部５１は、加速パージ要求フラグが「１」ではないと判定した場合、つまり、低負荷時に窒素濃度が第１の濃度（高負荷での許容窒素濃度）を超えていない場合には、ステップＳ７に進み、定期パージを設定する。
【００８７】
すなわち、このときの定期パージは、低負荷発電（Ｓ１→Ｓ２→Ｓ３→Ｓ５→Ｓ７→Ｓ８）後に高負荷発電要求（Ｓ１、Ｙｅｓ）があったときの定期パージであり、高負荷（第２要求負荷）に対応した定期パージ（第２パージ時間、第２作動インターバル）を設定する。
【００８８】
この高負荷に対応した定期パージは、窒素濃度と要求負荷に基づいてパージ量を設定する。窒素濃度は、低負荷時にステップＳ２によって算出された値が用いられ、要求負荷は、ＩＦＣに基づいて設定される。なお、フローチャートでは図示省略しているが、ここでの定期パージは、ステップＳ２で算出された窒素濃度と高負荷での許容窒素濃度（第１の濃度）とが比較され、算出した窒素濃度が、高負荷での許容窒素濃度未満である場合、パージ量はゼロに設定され、算出した窒素濃度が、高負荷での許容窒素濃度以上である場合には、要求負荷に対応したパージ量を設定する。すなわち、要求負荷が高い場合には、窒素濃度が高くなるので、窒素濃度が高ければ高いほど、パージ量が多くなるように設定する。なお、このときの高負荷に対応した定期パージでは、窒素濃度が高負荷での許容窒素濃度未満であるので（加速パージ要求フラグが「０」であるので）、前記した加速パージを実行しなくても、出力が低下することがなく、または出力の低下幅を小さく抑えることができる。
【００８９】
なお、パージ量は、パージ弁３５の開弁時間に基づいて設定され、現在の窒素濃度から所定の閾値（低負荷の場合のパージと同様の閾値）まで低下させることができる時間に設定される。また、所定の閾値は、０（ゼロ）に設定してもよく、またはゼロよりも高く且つ高負荷での許容窒素濃度よりも低い値に設定してもよい。
【００９０】
次に、図７のタイムチャートを参照しながら定期パージおよび加速パージの窒素濃度の変化について説明する。図７（ａ）は低負荷の定期パージ時の窒素濃度の推移を示すタイムチャート、（ｂ）は本実施形態に係る加速パージありの窒素濃度の推移を示すタイムチャート、（ｃ）は比較例に係る加速パージなしの窒素濃度の推移を示すタイムチャートである。
【００９１】
図７（ａ）に示すように、低負荷の発電が連続している場合には、時刻ｔ１において、窒素濃度が低負荷での許容窒素濃度（第２の濃度）Ｄ２以上になったときに（Ｓ３、Ｙｅｓ）、低負荷に対応した定期パージ（第１パージ時間、第１作動インターバル）が実行される（Ｓ７，Ｓ１０）。ここでの定期パージは、パージ弁３５が所定時間（第１パージ時間）開弁されることにより、窒素濃度が所定の閾値まで低下し、閾値まで低下した後にパージ弁３５が閉弁される（時刻ｔ１〜ｔ２、ｔ３〜ｔ４、ｔ５〜ｔ６）。なお、窒素濃度が低負荷での許容窒素濃度未満の場合には（Ｓ３、Ｎｏ）、パージ量はゼロに設定される（Ｓ７）。また、パージ弁３５を開弁する際の所定時間は、パージ弁３５を開弁したときの窒素の低下量に基づいて決定される。また、図７（ａ）の時刻ｔ２〜ｔ３、ｔ４〜ｔ５は、第１作動インターバルに対応する。
【００９２】
また、図７（ｂ）に示すように、時刻ｔ０、ｔ３において、高負荷での許容窒素濃度（第１の濃度）Ｄ１以上となった場合には、加速パージ要求フラグが「１」に設定される。その後の時刻ｔ１１において、加速ありと判定された場合には、前記した加速判定手段（要求後即時判定、事前判定）にしたがって、加速判定後直ちにまたは前もってパージを実行する（Ｓ８，Ｓ１０）。
【００９３】
加速パージは、図６に示すマップに基づいて現在の窒素濃度と要求負荷（ＩＦＣ）からパージ量を設定し（Ｓ８）、設定されたパージ量に基づいて加速パージ（第３パージ時間によるパージ）を実行する（ｔ１１〜ｔ１２）。このように、加速パージでは、加速判定後（Ｓ１、Ｙｅｓ）直ちに（または加速判定前に）パージが行われることで、アノード循環流路内の窒素濃度を早期に（事前に）高負荷に対応した許容窒素濃度よりも低下させることができる。したがって、高負荷に対応した許容窒素濃度の範囲内で燃料電池１０から発電電流を取り出すことができるので、出力（発電電流の取り出し量）が低下するのを抑制できる。
【００９４】
なお、第３パージ時間は、第１パージ時間よりも短く且つ第２パージ時間よりも長く設定される。図７（ｂ）の時刻ｔ１１〜ｔ１２は、第３パージ時間に対応する。このように、第３パージ時間によるパージ（加速パージ）において、第３パージ時間が第１パージ時間よりも短く設定されることにより、過度なパージ（窒素排出時に水素が過剰に排出されること）を防止でき、しかも第３パージ時間が第２パージ時間よりも長く設定されることにより、窒素濃度の低下が不十分になるのを防止できる。
【００９５】
また、加速パージ設定（Ｓ８）後は、加速パージ要求フラグを「０」に設定するので（Ｓ９）、加速（高出力要求）が継続したとしても、ステップＳ６からステップＳ７に進み、高負荷に対応した定期パージ（第２パージ時間、第２作動インターバル）を実行する（ｔ１３〜ｔ１４、ｔ１５〜ｔ１６、ｔ１７〜ｔ１８）。よって、加速パージ後も、高負荷での許容窒素濃度以下に窒素濃度を抑えることができるので、出力が低下するのを抑制できる。なお、時刻ｔ１２〜ｔ１３、ｔ１４〜ｔ１５、ｔ１６〜ｔ１７は、第２作動インターバルに対応する。また、図７（ｂ）では、加速判定があったとき（時刻ｔ１１）に加速パージ要求フラグを「１」（有り）から「０」（無し）に設定しているが、窒素濃度が高負荷の許容窒素濃度Ｄ１を下回ったときに加速パージ要求フラグを「１」から「０」に設定してもよく、または窒素濃度が所定の閾値まで低下したとき（時刻ｔ１２）に加速パージ要求フラグを「１」から「０」に設定してもよい。
【００９６】
これに対して、図７（ｃ）の比較例で示すように、時刻ｔ２１において加速パージが実行されない場合には、高負荷での許容窒素濃度Ｄ１よりも高い窒素濃度で加速が行われることになり、十分な出力を得ることができなくなる。
【００９７】
以上説明したように、本実施形態に係る燃料電池システム１は、低負荷の場合、窒素濃度が第１の濃度以上になったとき、加速パージ要求フラグを「１」に設定し、その後、高出力要求があり、かつ、加速パージ要求フラグが「１」の場合には、パージ弁３５を作動させて、窒素濃度と燃料電池１０への要求負荷と、によって予め定められるパージ量のアノードガス（水素）および不純物（窒素、生成水）を排出する加速パージ制御を行い、前記加速パージ制御を実行したときに、加速パージ要求フラグを「０」に設定するものである。
【００９８】
これによれば、低負荷時に許容窒素濃度Ｄ１を超えたことを記憶しておき、燃料電池に対する要求負荷の低負荷から高負荷への切り替え時において直ちにパージを実行してアノード循環流路内の窒素濃度を早期に低下させることで、切り替え時の出力低下を抑制することが可能になる。
【００９９】
また、本実施形態は、加速パージ制御とは別に、予め定められる所定のタイミングにおいて、つまり現在の要求負荷が低負荷であるか高負荷であるかに分けて、現在の窒素濃度が低負荷での許容窒素濃度Ｄ２を超えるタイミング、または高負荷での許容窒素濃度Ｄ１を超えるタイミングにおいて、パージ弁３５を作動させてパージを行う定期パージ制御を行うものである。
【０１００】
これによれば、燃料電池１０に対する要求負荷が低負荷の場合には、窒素濃度の高さが出力に対して影響が小さいためにパージを行う窒素濃度（許容窒素濃度Ｄ２）を高めに設定することで、パージインターバルを長く設定できるので、燃費向上を図ることができる。
【０１０１】
また、燃料電池１０に対する要求負荷が高負荷の場合には、パージを行う窒素濃度（許容窒素濃度Ｄ１）を低めに設定することで、窒素濃度の出力に対する影響を小さくすることができる。
【０１０２】
また、本実施形態では、定期パージ制御において、窒素濃度が高ければ高いほど、パージ量が多くなるようにパージ量を設定することにより、パージ量を適切に設定することができ、出力が低下するのを確実に抑制することができる。
【０１０３】
なお、本発明は前記した実施形態に限定されるものではなく、例えば、本実施形態では、パージ弁３５を開弁することでアノード循環流路から窒素を排出する例を挙げて説明したが、より早くに窒素濃度を下げたい場合には、パージ弁３５に加えてドレイン弁３６を同時に開弁して窒素を排出するようにしてもよい。この場合には、パージ弁３５とドレイン弁３６とがパージ装置に相当する。
【０１０４】
また、加速パージによってアノード流路１０ｂの圧力低下を考慮して、フィードバックによる調圧およびフィードフォワードによる調圧を行うようにしてもよい。例えば、調圧方法は、カソード側の圧力（カソード圧力）と独立してアノード側の圧力（アノード圧力）を調整できる減圧弁による方法を挙げることができる。
【０１０５】
また、本実施形態では、窒素濃度が第１の濃度以上（図２のステップＳ３、高負荷の許容窒素濃度Ｄ１以上、所定条件成立）であるか否かに基づいて加速パージ（第３パージ時間によるパージ）の要否を判定する場合を例に挙げて説明したが、これに限定されるものではなく、パージ弁３５（または、パージ弁３５およびドレイン弁３６）を閉弁した後（パージ装置によるパージ停止後）の燃料電池１０から取り出す発電電流の積算電流値が所定値以上であるか否かに基づいて加速パージ（第３パージ時間によるパージ）の要否を判定するようにしてもよい。つまり、積算電流値が所定値以上である場合には、加速パージ要求フラグを「１」に設定し（図２のステップＳ４参照）、積算電流値が所定値未満である場合には、加速パージ要求フラグ「０」に設定する（図２のステップＳ５参照）。
【符号の説明】
【０１０６】
１      燃料電池システム
１０    燃料電池
１０ａ  カソード流路
１０ｂ  アノード流路（アノード循環流路）
２１    エアコンプレッサ（カソードガス供給手段）
２３，２４  開閉弁
３１    水素タンク（アノードガス供給手段）
３５    パージ弁（パージ装置）
３６    ドレイン弁
５１    制御部（要求負荷算出手段、窒素濃度算出手段、パージ制御手段）
ａ３，ａ４，ａ５  配管（アノード循環流路）
ｃ３    バイパス配管
ｃ４    アシスト配管
【図１】
2013232407.tif 000003
【図２】
2013232407.tif 000004
【図３】
2013232407.tif 000005
【図４】
2013232407.tif 000006
【図５】
2013232407.tif 000007
【図６】
2013232407.tif 000008
【図７】
2013232407.tif 000009